(57)【要約】      （修正有）【課題】プライマーを必要な部分だけに塗布できるようにし、軸が曲がったりせずに安定的に塗布作業ができるようにし、かつ、資源の無駄遣いを少くする塗布具を提供する。【解決手段】グリップ部３の先に薄板部４を有するヘラ１と、前記ヘラ１の先端部に被せられる状態で着脱自在に取り付けられ、外側に綿状の短繊維を有するハケ部２とからなる。ヘラ１の先端部には複数の凹凸５，６を設け、摩擦を大きくして塗装作業中にハケ部２がヘラ１から抜け出ないようにする。ハケ部２は、内側を硬質繊維で織った布シートで形成し、その外側に短繊維を植毛したものであり、その先端部は斜めに成形され、塗装作業がし易くなるようにしている。塗布作業が終わったら使用済みのハケ部２をヘラ１から取り外し、それだけを捨てるようにして、資源の無駄削減を図る。【選択図】図１
0003174971.tif 000002
【実用新案登録請求の範囲】
【請求項１】
グリップ部の先に薄板部を有するヘラと、前記ヘラの先端部に被せられる状態で着脱自在に取り付けられ、外側に綿状の短繊維を有するハケ部とからなることを特徴とする塗布具。
【請求項２】
前記ハケ部の先端部が斜めに成形されたことを特徴とする請求項１に記載の塗布具。
【請求項３】
前記ヘラの先端部の前記ハケ部で覆われる部分に複数の凹凸を設けたことを特徴とする請求項１又は２に記載の塗布具。
【請求項４】
前記ハケ部は、内側を硬質繊維で織った布シートで形成し、その外側に短繊維を植毛したものであることを特徴とする請求項１，２又は３に記載の塗布具。
【請求項５】
バネ力により板片を上下から挟み込んで把持する挟持片を先端に有する保持具と、板片の一側両面及び端縁を覆うように多孔質片が固着され、該板片の他側が前記保持具の挟持片で着脱自在に把持されるハケ部とからなることを特徴とする塗布具。
【請求項６】
前記保持具の上側挟持片の長さを下側挟持片の長さより長くしたことを特徴とする請求項５に記載の塗布具。
【考案の詳細な説明】
【技術分野】
【０００１】
本考案は、自動車窓枠へフロントガラスやリアガラス等を取り付ける際に、窓枠やガラスに接着剤のプライマーを塗布するのに好適な塗布具に関するものである。
【背景技術】
【０００２】
図６は、自動車フロントガラス取付部のプライマー塗布部分を示す図である。図６において、２１は自動車ボデー、２２はフロントガラスである。
【０００３】
自動車ボデー２１へのフロントガラス２２の取り付けは、接着剤を用いて行われるが、接着剤を適用する前に、自動車ボデー２１とフロントガラス２２の接着部分に液状のプライマー（接着付与剤）を塗布する必要がある。図６の場合では、自動車ボデー２１に形成されたフロントガラス取付部２３のフロントガラス２２を受ける部分及びフロントガラス２２のボデー対向面の周縁部にプライマーを塗布する。なお、図６中、符号２４で示す部分がプライマー塗布部である。
【０００４】
フロントガラス取付部２３やフロントガラス２２にプライマーを塗布するには、従来、図７に示すようなハケ状の塗布具が用いられている。この塗布具は、針金を撚って形成した軸芯２５の先端部に、アクリル繊維よりなる繊維綿２６を取り付けたものである。この繊維綿２６にプライマーを含浸させて塗布する。
【０００５】
なお、このような塗布具に関連する従来文献としては、例えば、特許文献１がある。
【先行技術文献】
【特許文献】
【０００６】
【特許文献１】実開昭５１−９０５３号公報
【考案の概要】
【考案が解決しようとする課題】
【０００７】
しかしながら、上記従来の塗布具には、繊維綿２６が丸みを帯びているため、塗布する際に、必要な部分に塗布されるだけでなくその外側部分にまでプライマーがはみ出し易いという問題点があった。また、軸芯２５が曲がり易く安定しないため、作業性が悪く、しかも、繊維綿２６のプライマーの吸収性が十分でなく、しかもプライマーが黒色であるため、作業中、プライマーが垂れ落ちて床を汚してしまったり、手が汚れてしまったりするという問題点もあった。さらに、プライマーを一度塗布するごとに使い捨てにしているため資源の無駄遣いになる上、軸芯２５が金属の針金でできているため産業廃棄物として処理しなければならないという問題点もあった。
【０００８】
本考案は、そのような問題点に鑑み、プライマーを必要な部分だけに塗布できるようにし、軸が曲がったりせずに安定的に塗布作業ができるようにし、かつ、資源の無駄遣いを最少限にすることを目的とするものである。
【課題を解決するための手段】
【０００９】
前記課題を解決するため、本願の請求項１にかかる考案は、グリップ部の先に薄板部を有するヘラと、前記ヘラの先端部に被せられる状態で着脱自在に取り付けられ、外側に綿状の短繊維を有するハケ部とからなることを特徴とする。
【００１０】
また、本願の請求項２にかかる考案は、請求項１にかかる考案において、前記ハケ部の
先端部が斜めに成形されたことを特徴とする。
【００１１】
また、本願の請求項３にかかる考案は、請求項１又は２にかかる考案において、前記ヘラの先端部の前記ハケ部で覆われる部分に複数の凹凸を設けたことを特徴とする。
【００１２】
また、本願の請求項４にかかる考案は、請求項３にかかる考案において、前記ハケ部は、内側を硬質繊維で織った布シートで形成し、その外側に短繊維を植毛したものであることを特徴とする。
【００１３】
また、本願の請求項５にかかる考案は、バネ力により板片を上下から挟み込んで把持する挟持片を先端に有する保持具と、板片の一側両面及び端縁を覆うように多孔質片が固着され、該板片の他側が前記保持具の挟持片で着脱自在に把持されるハケ部とからなることを特徴とする。
【００１４】
また、本願の請求項６にかかる考案は、請求項５にかかる考案において、前記保持具の上側挟持片の長さを下側挟持片の長さより長くしたことを特徴とする。
【考案の効果】
【００１５】
本考案の塗布具は、次のような効果を奏する。
すなわち、請求項１にかかる考案においては、グリップ部の先に薄板部を有するヘラの先端部に被せられる状態でハケ部を着脱自在に取り付けるようにしたので、軸が曲がったりせずに安定的に塗布作業ができ、また、ハケ部は先端部が細長状になるため、必要な部分だけに塗布できるようになり、しかも、ハケ部が着脱自在に取り付けられるので、ハケ部だけを使い捨てにでき、資源の無駄遣いを最少限にできる。
【００１６】
また、請求項２にかかる考案においては、請求項１にかかる塗布具において、ハケ部の先端部を斜めに成形したので、塗装作業がより容易になる。
【００１７】
また、請求項３にかかる考案においては、請求項１又は２にかかる塗布具において、ヘラの先端部の前記ハケ部で覆われる部分に複数の凹凸を設けたので、ハケ部との摩擦が大きくなり、塗装作業中にハケ部が抜け出ないようになって安定する。
【００１８】
また、請求項４にかかる考案においては、請求項３にかかる塗布具において、ハケ部は、内側を硬質繊維で織った布シートで形成し、その外側に短繊維を植毛したものを用いるようにしたので、前記凹凸との関係でヘラとの間の摩擦力がより一層大きくなって、ハケ部がより一層安定する。
【００１９】
また、請求項５にかかる考案においては、バネ力により板片を上下から挟み込んで把持する保持具の挟持片で、一側両面及び端縁を覆うように多孔質片が固着されたハケ部板片の他側を着脱自在に把持するようにしたので、軸が曲がったりせずに安定的に塗布作業ができ、また、ハケ部は先端部が細長状になるため、必要な部分だけに塗布できるようになり、しかも、ハケ部が着脱自在に設けられるので、ハケ部だけを使い捨てにでき、資源の無駄遣いを最少限にできる。
【００２０】
また、請求項６にかかる考案においては、請求項５にかかる塗布具において、保持具の上側挟持片の長さを下側挟持片の長さより長くしたので、塗布作業時、上側挟持片１７の先端部でハケ部１３の板片２０を押さえることができるため、ハケ部１３に強い圧力を掛けながらの塗装が可能になる。
【図面の簡単な説明】
【００２１】
【図１】本考案の第１実施例に係る塗布具を示す図である。
【図２】図１のもののヘラを示す図である。
【図３】図１のもののハケ部を示す図である。
【図４】本考案の第２実施例に係る塗布具を示す図である。
【図５】図４のもののハケ部を示す図である。
【図６】自動車フロントガラス取付部のプライマー塗布部分を示す図である。
【図７】従来の塗布具を示す図である。
【考案を実施するための形態】
【００２２】
以下、本考案の実施例を図面に基づいて詳細に説明する。
【実施例１】
【００２３】
図１は、本考案の一実施例に係る塗布具を示す図である。図１において、１は硬質プラスチックよりなるヘラ、２は外側にアクリル短繊維を植毛したハケ部である。この塗布具は、使用時には、ヘラ１の先端部にハケ部２を被せた状態で用いる。
【００２４】
ヘラ１は、図２に正面図と側面図で示すように、グリップ部３と薄板部４とを有しており、薄板部４先端部の両縁部には、縁凹凸部５が設けられ、表裏両面には面凹凸部６が設けられている。これら縁凹凸部５や面凹凸部６は、ハケ部２がヘラ１から抜けにくくなるように設けている。そして、ヘラ先端７は、斜めに加工している。また、このグリップ部３は、表裏両面が平坦にしているが、断面楕円形の丸みを帯びさせれば、より握り易くなる。
【００２５】
ハケ部２は、図３に正面図と側面図で示すように、表面にアクリル繊維等の短毛８を植毛した布状基材９を袋状に形成し、その内側空間をヘラ挿入部１０としている。布状基材９は、硬質繊維で織った布シートで形成している。また、ハケ先端１１は、プライマーの塗布作業がし易くなるように斜めに加工している。
【００２６】
この塗布具では、ハケ部２の塗布面が細長形状になっているため、幅の狭い部分に塗布する際には、長い辺をハケの移動方向に向けることにより、余分な部分にはみ出すことなく塗布ができ、広い部分に塗布する際には、長い辺をハケの移動方向と直角にすることにより、効率よく塗布ができる。また、塗布作業が終わったら使用済みのハケ部２をヘラ１から取り外して、それだけを捨てればよいので、資源の無駄遣いを最少限にすることができる。また、ヘラ１は任意に剛性を大きくして曲がりにくくできるため、安定的に塗布作業ができる。
【実施例２】
【００２７】
図４は、本考案の第２実施例に係る塗布具を示す図である。図４において、１２は洗濯バサミ状の保持具、１３はハケ部、１４は支軸、１５はバネ、１６はつまみ部、１７は上側挟持片、１８は下側挟持片、１９は多孔片、２０は板片である。
【００２８】
図５は、ハケ部１３を示す図で、図５（Ａ）は多孔質片、図５（Ｂ）は板片、図５（Ｃ）は板片に多孔質片を固着して出来上がったハケ部を示す図ある。多孔質片１９は、プライマーの吸収性が大きい材料、例えば、アクリル繊維の綿、メラミンフォーム（スポンジ）等を、例えば、４５mm×１５mm×５mmの寸法の肉厚テープ状に形成する。また、板片２０は、耐水性があって、柔軟性があり、かつ折れにくい材料、例えば、耐水性を付与した厚紙等で、例えば、３５mm×１２mm×１mmの寸法の板に形成する。
【００２９】
多孔質片１９の裏面中央部を板片２０の一側端縁に当てて、片側を板片２０の一面に貼り付け、多孔質片１９の他側を折り返して板片２０の他面に貼り付け、図５（Ｃ）のよう
に固着する。
【００３０】
保持具１２は、洗濯バサミのように、支軸１４を中心にして開閉動作し、常時は、バネ１５により上側挟持片１７と下側挟持片１８が互いに圧力を与えながら閉じるようになっている。そして、つまみ部１６，１６を指で強く摘むと、上側挟持片１７と下側挟持片１８が開いて、ハケ部１３が着脱できるようになっている。また、上側挟持片１７と下側挟持片１８は、上側挟持片の長さを下側挟持片の長さより長くして先端部に段差を設けている。なお、ここでは、この塗布具で塗装する際、塗装面に対向する側を下側、その反対側を上側とする。
【００３１】
図４に示すように、そのような保持具１２の上側挟持片１７と下側挟持片１８の間に、ハケ部１３の、多孔質片１９が貼り付けられていない板片２０端部を挟み込み、保持具１２を握ってハケ部１３にプライマーを吸い込ませ、塗布作業を行う。その際に、上側挟持片１７の長さを下側挟持片１８の長さより長くしたことにより、上側挟持片１７の先端部でハケ部１３の板片２０を押さえることができるため、ハケ部１３に強い圧力を掛けながらの塗装が可能になる。
【００３２】
この塗布具も、ハケ部１３の塗布面が細長形状になっているため、幅の狭い部分に塗布する際には、長い辺をハケの移動方向に向けることにより、余分な部分にはみ出すことなく塗布ができ、広い部分に塗布する際には、長い辺をハケの移動方向と直角にすることにより、効率よく塗布ができる。また、塗布作業が終わったら使用済みのハケ部１３を保持具１２から取り外して、それだけを捨てればよいので、資源の無駄遣いを最少限にすることができる。また、保持具１２は曲がったりしないため、安定的に塗布作業ができる。
【００３３】
なお、上記実施例では、自動車フロントガラス取付部へプライマーを塗布するための塗布具として説明したが、本考案は、それに限定されず、他の分野でのプライマー以外の塗布具としも利用可能である。
【符号の説明】
【００３４】
１  ヘラ
２  ハケ部
３  グリップ部
４  薄板部
５  縁凹凸部
６  面凹凸部
７  ヘラ先端
８  短毛
９  布状基材
１０  ヘラ挿入部
１１  ハケ先端
１２  保持具
１３  ハケ部
１４  支軸
１５  バネ
１６  つまみ部
１７  上側挟持片
１８  下側挟持片
１９  多孔質片
２０  板片
２１  自動車ボデー
２２  フロントガラス
２３  フロントガラス取付部
２４  プライマー塗布部
【図１】
0003174971.tif 000003
【図２】
0003174971.tif 000004
【図３】
0003174971.tif 000005
【図４】
0003174971.tif 000006
【図５】
0003174971.tif 000007
【図６】
0003174971.tif 000008
【図７】
0003174971.tif 000009
【手続補正書】
【提出日】平成24年2月10日(2012.2.10)
【手続補正１】
【補正対象書類名】実用新案登録請求の範囲
【補正対象項目名】全文
【補正方法】変更
【補正の内容】
【実用新案登録請求の範囲】
【請求項１】
バネ力により板片を上下から挟み込んで把持する挟持片を先端に有する保持具と、板片の一側両面及び端縁を覆うように多孔質片が固着され、該板片の他側が前記保持具の挟持片で着脱自在に把持されるハケ部とからなることを特徴とする塗布具。
【請求項２】
前記保持具の上側挟持片の長さを下側挟持片の長さより長くしたことを特徴とする請求項１に記載の塗布具。
【手続補正２】
【補正対象書類名】明細書
【補正対象項目名】全文
【補正方法】変更
【補正の内容】
【考案の詳細な説明】
【技術分野】
【０００１】  本考案は、自動車窓枠へフロントガラスやリアガラス等を取り付ける際に、窓枠やガラスに接着剤のプライマーを塗布するのに好適な塗布具に関するものである。
【背景技術】
【０００２】    図３は、自動車フロントガラス取付部のプライマー塗布部分を示す図である。図３において、２１は自動車ボデー、２２はフロントガラスである。【０００３】  自動車ボデー２１へのフロントガラス２２の取り付けは、接着剤を用いて行われるが、接着剤を適用する前に、自動車ボデー２１とフロントガラス２２の接着部分に液状のプライマー（接着付与剤）を塗布する必要がある。図３の場合では、自動車ボデー２１に形成されたフロントガラス取付部２３のフロントガラス２２を受ける部分及びフロントガラス２２のボデー対向面の周縁部にプライマーを塗布する。なお、図３中、符号２４で示す部分がプライマー塗布部である。【０００４】  フロントガラス取付部２３やフロントガラス２２にプライマーを塗布するには、従来、図４に示すようなハケ状の塗布具が用いられている。この塗布具は、針金を撚って形成した軸芯２５の先端部に、アクリル繊維よりなる繊維綿２６を取り付けたものである。この繊維綿２６にプライマーを含浸させて塗布する。【０００５】  なお、このような塗布具に関連する従来文献としては、例えば、特許文献１がある。
【先行技術文献】
【特許文献】
【０００６】
【特許文献１】実開昭５１−９０５３号公報
【考案の概要】
【考案が解決しようとする課題】
【０００７】    しかしながら、上記従来の塗布具には、繊維綿２６が丸みを帯びているため、塗布する際に、必要な部分に塗布されるだけでなくその外側部分にまでプライマーがはみ出し易いという問題点があった。また、軸芯２５が曲がり易く安定しないため、作業性が悪く、しかも、繊維綿２６のプライマーの吸収性が十分でなく、しかもプライマーが黒色であるため、作業中、プライマーが垂れ落ちて床を汚してしまったり、手が汚れてしまったりするという問題点もあった。さらに、プライマーを一度塗布するごとに使い捨てにしているため資源の無駄遣いになる上、軸芯２５が金属の針金でできているため産業廃棄物として処理しなければならないという問題点もあった。【０００８】    本考案は、そのような問題点に鑑み、プライマーを必要な部分だけに塗布できるようにし、軸が曲がったりせずに安定的に塗布作業ができるようにし、かつ、資源の無駄遣いを最少限にすることを目的とするものである。
【課題を解決するための手段】
【０００９】    前記課題を解決するため、本願の請求項１にかかる考案は、バネ力により板片を上下から挟み込んで把持する挟持片を先端に有する保持具と、板片の一側両面及び端縁を覆うように多孔質片が固着され、該板片の他側が前記保持具の挟持片で着脱自在に把持されるハケ部とからなることを特徴とする。【００１０】    また、本願の請求項２にかかる考案は、請求項１にかかる考案において、前記保持具の上側挟持片の長さを下側挟持片の長さより長くしたことを特徴とする。
【考案の効果】
【００１１】    本考案の塗布具は、次のような効果を奏する。    すなわち、請求項１にかかる考案においては、バネ力により板片を上下から挟み込んで把持する保持具の挟持片で、一側両面及び端縁を覆うように多孔質片が固着されたハケ部板片の他側を着脱自在に把持するようにしたので、軸が曲がったりせずに安定的に塗布作業ができ、また、ハケ部は先端部が細長状になるため、必要な部分だけに塗布できるようになり、しかも、ハケ部が着脱自在に設けられるので、ハケ部だけを使い捨てにでき、資源の無駄遣いを最少限にできる。【００１２】    また、請求項２にかかる考案においては、請求項１にかかる塗布具において、保持具の上側挟持片の長さを下側挟持片の長さより長くしたので、塗布作業時、上側挟持片の先端部でハケ部の板片を押さえることができるため、ハケ部に強い圧力を掛けながらの塗装が可能になる。
【図面の簡単な説明】
【００１３】
【図１】本考案の一実施例に係る塗布具を示す図である。
【図２】図１のもののハケ部を示す図である。
【図３】自動車フロントガラス取付部のプライマー塗布部分を示す図である。
【図４】従来の塗布具を示す図である。
【考案を実施するための形態】
【００１４】    以下、本考案の実施例を図面に基づいて詳細に説明する。
【実施例１】
【００１５】    図１は、本考案の一実施例に係る塗布具を示す図である。図１において、１２は洗濯バサミ状の保持具、１３はハケ部、１４は支軸、１５はバネ、１６はつまみ部、１７は上側挟持片、１８は下側挟持片、１９は多孔片、２０は板片である。【００１６】    図２は、ハケ部１３を示す図で、図２（Ａ）は多孔質片、図２（Ｂ）は板片、図２（Ｃ）は板片に多孔質片を固着して出来上がったハケ部を示す図ある。多孔質片１９は、プライマーの吸収性が大きい材料、例えば、アクリル繊維の綿、メラミンフォーム（スポンジ）等を、例えば、４５mm×１５mm×５mmの寸法の肉厚テープ状に形成する。また、板片２０は、耐水性があって、柔軟性があり、かつ折れにくい材料、例えば、耐水性を付与した厚紙等で、例えば、３５mm×１２mm×１mmの寸法の板に形成する。【００１７】  多孔質片１９の裏面中央部を板片２０の一側端縁に当てて、片側を板片２０の一面に貼り付け、多孔質片１９の他側を折り返して板片２０の他面に貼り付け、図２（Ｃ）のように固着する。【００１８】  保持具１２は、洗濯バサミのように、支軸１４を中心にして開閉動作し、常時は、バネ１５により上側挟持片１７と下側挟持片１８が互いに圧力を与えながら閉じるようになっている。そして、つまみ部１６，１６を指で強く摘むと、上側挟持片１７と下側挟持片１８が開いて、ハケ部１３が着脱できるようになっている。また、上側挟持片１７と下側挟持片１８は、上側挟持片の長さを下側挟持片の長さより長くして先端部に段差を設けている。なお、ここでは、この塗布具で塗装する際、塗装面に対向する側を下側、その反対側を上側とする。【００１９】    図１に示すように、そのような保持具１２の上側挟持片１７と下側挟持片１８の間に、ハケ部１３の、多孔質片１９が貼り付けられていない板片２０端部を挟み込み、保持具１２を握ってハケ部１３にプライマーを吸い込ませ、塗布作業を行う。その際に、上側挟持片１７の長さを下側挟持片１８の長さより長くしたことにより、上側挟持片１７の先端部でハケ部１３の板片２０を押さえることができるため、ハケ部１３に強い圧力を掛けながらの塗装が可能になる。【００２０】  この塗布具は、ハケ部１３の塗布面が細長形状になっているため、幅の狭い部分に塗布する際には、長い辺をハケの移動方向に向けることにより、余分な部分にはみ出すことなく塗布ができ、広い部分に塗布する際には、長い辺をハケの移動方向と直角にすることにより、効率よく塗布ができる。また、塗布作業が終わったら使用済みのハケ部１３を保持具１２から取り外して、それだけを、可燃ゴミとして捨てればよいので、資源の無駄遣いを最少限にすることができる。また、保持具１２は曲がったりしないため、安定的に塗布作業ができる。【００２１】  なお、上記実施例では、自動車フロントガラス取付部へプライマーを塗布するための塗布具として説明したが、本考案は、それに限定されず、他の分野でのプライマー以外の塗布具としも利用可能である。
【符号の説明】
【００２２】    １２  保持具    １３  ハケ部    １４  支軸    １５  バネ    １６  つまみ部    １７  上側挟持片    １８  下側挟持片    １９  多孔質片    ２０  板片    ２１  自動車ボデー    ２２  フロントガラス    ２３  フロントガラス取付部    ２４  プライマー塗布部
【手続補正３】
【補正対象書類名】図面
【補正対象項目名】図１
【補正方法】変更
【補正の内容】
【図１】
0003174971.tif 000010
【手続補正４】
【補正対象書類名】図面
【補正対象項目名】図２
【補正方法】変更
【補正の内容】
【図２】
0003174971.tif 000011
【手続補正５】
【補正対象書類名】図面
【補正対象項目名】図３
【補正方法】変更
【補正の内容】
【図３】
0003174971.tif 000012
【手続補正６】
【補正対象書類名】図面
【補正対象項目名】図４
【補正方法】変更
【補正の内容】
【図４】
0003174971.tif 000013
【手続補正７】
【補正対象書類名】図面
【補正対象項目名】図５
【補正方法】削除
【補正の内容】
【手続補正８】
【補正対象書類名】図面
【補正対象項目名】図６
【補正方法】削除
【補正の内容】
【手続補正９】
【補正対象書類名】図面
【補正対象項目名】図７
【補正方法】削除
【補正の内容】